(57)【要約】【課題】送風空気の熱拡散を抑制し、送風空気の温度輸送効率を向上させることができる薄型レジスタを提供する。【解決手段】空気吹出口３の内側の上部と下部に、傾斜面３ａが通風路９の壁面から空気吹出口３に向けて傾斜して設けられる。前可動ルーバ４には、複数の円筒フィン１０が短手方向と平行な支軸を介して回動可能に並設される。円筒フィン１０には、通風路９の下流側に向けて開口し、凸部と凹部を有する開口前縁部１２が設けられる。開口前縁部１２は、凸部１２ａが短手方向両側に配置され、凹部１２ｂが長手方向両側に配置され、立体的に湾曲して形成される。【選択図】図１
2020032859.tif 000002
【特許請求の範囲】
【請求項１】
前部に、長手方向に長く短手方向に短い細長の空気吹出口が設けられ、該空気吹出口の内側に、長手方向に風向を変える可動ルーバが通風路内に配設された薄型レジスタにおいて、
該可動ルーバには、複数の円筒フィンが該短手方向と平行な支軸を介して回動可能に並設され、
該円筒フィンに、該通風路の下流側に向けて開口し、凸部と凹部を有する開口前縁部が設けられ、
該開口前縁部は、該凸部が該短手方向両側に配置され、該凹部が該長手方向両側に配置され、立体的に湾曲して形成されたことを特徴とする薄型レジスタ。
【請求項２】
前部に、長手方向に長く短手方向に短い細長の空気吹出口が設けられ、該空気吹出口の内側に、長手方向に風向を変える前可動ルーバが配設され、該前可動ルーバの上流側の通風路内に、該短手方向に風向を変える後フィンを有した後可動ルーバが該長手方向と平行な支軸を介して回動可能に軸支されてなる薄型レジスタにおいて、
該空気吹出口の内側の上部と下部に、傾斜面が該通風路の壁面から該空気吹出口に向けて傾斜して設けられ、
該前可動ルーバには、複数の円筒フィンが該短手方向と平行な支軸を介して回動可能に並設され、
該円筒フィンには、該通風路の下流側に向けて開口し、凸部と凹部を有する開口前縁部が設けられ、該開口前縁部は、該凸部が該短手方向両側に配置され、該凹部が該長手方向両側に配置され、立体的に湾曲して形成されたことを特徴とする薄型レジスタ。
【請求項３】
少なくとも前記円筒フィンの外周面に、多数のディンプルが設けられたことを特徴とする請求項１または２記載の薄型レジスタ。
【請求項４】
前記円筒フィンを囲う通風路の壁面に、多数のディンプルが設けられたことを特徴とする請求項１または２記載の薄型レジスタ。
【請求項５】
前記後可動ルーバには１枚の後フィンが、短手方向の略中央に、長手方向と平行な支軸を介して、上下に回動可能に軸支され、該後フィンが下側に回動したとき、空気流が、前記空気吹出口から上側に向けて送風され、該後フィンを上側に回動したとき、前記空気吹出口から下側に向けて送風されるように構成されたことを特徴とする請求項２記載の薄型レジスタ。
【請求項６】
前記通風路内の両側壁が凹面形状に形成され、且つ該両側壁が該通風路の上壁及び下壁と曲面で接続されたことを特徴とする請求項２記載の薄型レジスタ。
【請求項７】
前記後フィンの軸受部の内側面に、多数のディンプルが設けられ、前記円筒フィンの支軸を軸支する軸受板の内側面に、多数のディンプルが設けられたことを特徴とする請求項５記載の薄型レジスタ。
【請求項８】
前記円筒フィンの下流側の通風路内に延長部が設けられ、該延長部の壁面に、多数のディンプルが設けられたことを特徴とする請求項５記載の薄型レジスタ。
【請求項９】
少なくとも前記円筒フィンの外周面に、多数の細い波形が設けられたことを特徴とする請求項１または２記載の薄型レジスタ。
【請求項１０】
前記円筒フィンを囲う通風路の壁面に、多数の細い波形が設けられたことを特徴とする請求項１または２記載の薄型レジスタ。
【発明の詳細な説明】
【技術分野】
【０００１】
本発明は、自動車等の空調の空気吹出口に使用される空気吹出調整用のレジスタに関し、特に長手方向に長く短手方向に短い細長の空気吹出口を有した薄型レジスタに関する。
【背景技術】
【０００２】
空調装置の空気吹出調整用のレジスタとして、通風路を形成するベゼルまたはリテーナ内に、横可動ルーバと縦可動ルーバを前後して直交するように配設し、ベゼルに設けた空気吹出口から空気を吹き出す際、横可動ルーバ、縦可動ルーバの各フィンの角度を変えて空気の吹出し方向を調整するレジスタが、自動車の空調などで使用されている。
【０００３】
近年、自動車用の空調に使用されるレジスタでは、長手方向に長く短手方向に短い細長の空気吹出口を有し、空気吹出口の内側に１〜３枚程度の少数の前可動フィンを設けた薄型のレジスタが、主として意匠性やデザイン的なデマンドから製作される場合がある。
【先行技術文献】
【特許文献】
【０００４】
【特許文献１】特開２０１４−２１０５０２号公報
【発明の概要】
【発明が解決しようとする課題】
【０００５】
この種の薄型レジスタは、細長の空気吹出口の内側に、枚数が１〜３枚程度の前可動フィンが長手方向に沿って配置され、その前可動フィンの上流側に多数の後可動フィンが、前可動フィンと直交する短手方向に枢支され、長手方向に間隔をおいて並設される。
【０００６】
しかし、レジスタの空気吹出口が長手方向に長く短手方向に短い細長形状であって、その短手方向の長さが非常に短く極めて薄型となった場合、通風路から空気吹出口に向けて送風される空気流が短手方向に圧縮されて縮流が発生しやすく、特に、その縮流によって、後可動フィンを長手方向に振った際の風の指向性が悪化しやすいという現象が生じていた。
【０００７】
そこで、薄型レジスタにおいて上記のような縮流によって生じる指向性の悪化を改善するために、空気吹出口の短手方向と平行に前可動フィンを配置するとともに、その長手方向と平行に後可動フィンを配置し、後可動フィンを短手方向に振った際の風の指向性を向上させるようにした薄型レジスタの開発が行なわれ、この薄型レジスタは上記特許文献１等で知られている。
【０００８】
このタイプの薄型レジスタは、通風路の下流側に、上下に狭窄する形状の空気吹出口が設けられ、空気吹出口の内側上下に内側傾斜面が長手方向に沿って設けられる。空気吹出口は、通風路の空気流を、上下の内側傾斜面により、中央寄りに曲げて吹出すように形成される。空気吹出口の直ぐ上流側に複数の前フィンを有する前可動ルーバが、空気吹出口の短手方向に沿った支軸を介して前フィンを回動可能に、且つ長手方向に間隔をおいて並設される。さらに前可動ルーバの上流側の通風路内に、短手方向に風向を変える１枚の後フィンを有する後可動ルーバが長手方向に沿った支軸を介して回動可能に軸支される。
【０００９】
この薄型レジスタは、風向を空気吹出口の短手方向に変える場合、後可動ルーバの後フィンを短手方向に回動させ、後フィンによって縮流された空気流を空気吹出口の上又は下の内側傾斜面に当てることにより、後フィンによる短手方向の曲げと逆の方向に曲げて、風向を短手方向に変えるように動作する。また、風向を長手方向に変える場合、前可動ルーバの複数の前フィンを長手方向に回動させ、風向を長手方向に変えるように動作する。
【００１０】
然るに、この種の薄型レジスタは、その構造上、上下に狭窄されて薄く細い空気吹出口を通して、厚さの薄い空気流が送風されるため、送風される空気流の、周辺空気への熱拡散が大きく、空気流の温度輸送効率が低くなりやすい、という課題があった。
【００１１】
さらに、使用者が冷い風を希望し或いは暖かい風を希望して、十分な送風量で空調装置の送風を行った場合、空気吹出口から使用者に向けて送風された空気流（噴流）には、その周縁部に、かなりの乱流が発生し、周囲の常温空気を巻き込みながら、送風される。
【００１２】
このため、薄型レジスタから送風される空気流は、周囲の常温空気を巻き込むことにより、冷房時の冷気の温度が上昇しやすく、或いは暖房時の暖気の温度が低下しやすい。
【００１３】
特に、図２３に示すように、薄型レジスタの前フィン４０を長手方向に（右または左に）振った場合、前フィン４０の下流側の空気流に、乱流となる渦管が発生し、それらの渦管は、各前フィン４０にガイドされ、その間を、右側に曲折して通過する各空気流にとって、前後の短い距離Ｓだけずれた位置に発生するものの、空気吹出口の位置では長手方向全体に渦管が発生する。このため、前フィン４０の下流側で、多数の渦管が発生するとともに、それらが相互に干渉しあい、多くの乱流が発生する。
【００１４】
このため、冷房時や暖房時に薄型レジスタから送風される空気流の熱拡散が増大し、これにより、送風される空気流の温度輸送効率が低下し、特に冷房時、前フィン或いは後フィンを振ったときに、その傾向が顕著に現れる。
【００１５】
本発明は、上記の点に鑑みてなされたもので、送風空気の熱拡散を抑制し、送風空気の温度輸送効率を向上させることができる薄型レジスタを提供することを目的とする。
【課題を解決するための手段】
【００１６】
本発明に係る薄型レジスタは、前部に、長手方向に長く短手方向に短い細長の空気吹出口が設けられ、該空気吹出口の内側に、長手方向に風向を変える可動ルーバが配設された薄型レジスタにおいて、
該可動ルーバには、複数の円筒フィンが該短手方向と平行な支軸を介して回動可能に並設され、
該円筒フィンには、該通風路の下流側に向けて開口し、凸部と凹部を有する開口前縁部が設けられ、該開口前縁部は、該凸部が該短手方向両側に配置され、該凹部が該長手方向両側に配置され、立体的に湾曲して形成されたことを特徴とする。なお、薄型レジスタにおける前部と後部または前と後は、通風路の下流側または空気吹出口側が前、通風路の上流側が後である。
【００１７】
通常の板状のフィンを使用する薄型レジスタでは、図２３に示す如く、フィンを長手方向に振ったとき、フィンの両側を流れる空気流に、フィンの下流側で多数の渦管が生じやすく、渦管による乱流が空気流の周縁部に多く生じやすい。
【００１８】
しかし、この発明の薄型レジスタによれば、可動ルーバに複数の円筒フィンが並設されるため、全体として厚さの薄い空気流が送風される薄型レジスタであっても、個々の円筒フィンを抜ける空気流に、渦管による乱流が生じにくく、送風空気の熱拡散を抑制し、送風空気の温度輸送効率を向上させることができる。
【００１９】
また、円筒フィンには、通風路の下流側に向けて開口し、凸部と凹部を有する開口前縁部が設けられ、開口前縁部は、凸部が短手方向両側に配置され、凹部が長手方向両側に配置され、立体的に湾曲して形成されるので、特に、可動ルーバの円筒フィンを長手方向に振ったとき、送風空気の熱拡散を抑制し、送風空気の温度輸送効率を向上させることができる。
【００２０】
ここで、少なくとも上記円筒フィンの外周面に、多数のディンプルを設けることが好ましい。円筒フィンの外周面のディンプルによって、送風時、円筒フィンの下流側に生じる渦管が小さく縮小されて、乱流が抑制され、送風空気の熱拡散を抑制し、送風空気の温度輸送効率を向上させることができる。
【００２１】
なお、多数のディンプルを設けた面は、窪みと窪み以外の部分とから相対的に凹凸が生じているので、多数の凸レンズ形状の円形凸部を設けることにより、相対的にディンプルを生じさせる形態も、ディンプルに含まれる。
【００２２】
またここで、さらに円筒フィンを囲う通風路の壁面に、多数のディンプルを設けることが好ましい。これによっても、円筒フィンの下流側に生じる渦管を小さく縮小させ、乱流の発生を抑制し、することができる。
【００２３】
さらに、本発明の別の薄型レジスタは、前部に、長手方向に長く短手方向に短い細長の空気吹出口が設けられ、該空気吹出口の内側に、長手方向に風向を変える前可動ルーバが配設され、該前可動ルーバの上流側の通風路内に、該短手方向に風向を変える後フィンを有した後可動ルーバが該長手方向と平行な支軸を介して回動可能に軸支されてなる薄型レジスタにおいて、
該空気吹出口の内側の上部と下部に、傾斜面が該通風路の壁面から該空気吹出口に向けて傾斜して設けられ、
該前可動ルーバには、複数の円筒フィンが該短手方向と平行な支軸を介して回動可能に並設され、
該円筒フィンには、該通風路の下流側に向けて開口し、凸部と凹部を有する開口前縁部が設けられ、該開口前縁部は、該凸部が該短手方向両側に配置され、該凹部が該長手方向両側に配置され、立体的に湾曲して形成されたことを特徴とする。
【００２４】
この発明の薄型レジスタによれば、前可動ルーバに複数の円筒フィンが並設されるため、全体として厚さの薄い空気流が送風される薄型レジスタであっても、個々の円筒フィンを抜ける空気流に、渦管による乱流が生じにくく、送風空気の熱拡散を抑制し、送風空気の温度輸送効率を向上させることができる。
【００２５】
また、円筒フィンには、通風路の下流側に向けて開口し、凸部と凹部を有する開口前縁部が設けられ、開口前縁部は、凸部が短手方向両側に配置され、凹部が長手方向両側に配置され、立体的に湾曲して形成されるので、特に、前可動ルーバの円筒フィンを長手方向に振ったときでも、送風空気の熱拡散を抑制し、送風空気の温度輸送効率を向上させることができる。
【発明の効果】
【００２６】
本発明の薄型レジスタによれば、送風空気の熱拡散を抑制し、送風空気の温度輸送効率を向上させることができる。
【図面の簡単な説明】
【００２７】
【図１】本発明の一実施形態を示す薄型レジスタの斜視図である。
【図２】同レジスタの背面側から見た斜視図である。
【図３】同レジスタの平面図である。
【図４】同レジスタのベゼルを外した状態の斜視図である。
【図５】同レジスタの分解斜視図である。
【図６】図１のVI-VI断面図である。
【図７】図３の部分拡大図付きVII-VII断面図である。
【図８】図３のVIII-VIII断面図である。
【図９】図３のIX-IX断面図である。
【図１０】（ａ）は円筒フィンの正面図、（ｂ）はその左側面図、（ｃ）はその平面図、（ｄ）はその斜視図、（ｅ）は背面側からの斜視図である。
【図１１】（ａ）は後フィンの斜視図、（ｂ）は後フィンの後方からの斜視図、（ｃ）は後フィンの平面図である。
【図１２】（ａ）は円筒フィンの回動操作機構を示す断面図、（ｂ）は円筒フィンの回動操作機構を示す平面図である。
【図１３】（ａ）と（ｂ）は後フィンの回動操作機構を示す左側面である。
【図１４】他の実施形態を示す図６に対応した断面図である。
【図１５】（ａ）は後フィンを上側に振って送風方向を下側に変えた状態の断面図、（ｂ）は後フィンを下側に振って送風方向を上側に変えた状態の断面図である。
【図１６】前可動ルーバの円筒フィンを右に振った状態の、図６に対応する断面図である。
【図１７】渦管の発生状態を示す、図１６の部分拡大断面図である。
【図１８】他の実施形態を示す、図６に対応した断面図である。
【図１９】他の実施形態を示す、図７に対応した断面図である。
【図２０】さらに他の実施形態を示す、図６に対応した断面図である。
【図２１】さらに他の実施形態を示す、図８に対応した断面図である。
【図２２】さらに他の実施形態を示す、図９に対応した断面図である。
【図２３】従来のレジスタの前フィン近傍に発生する渦管の説明図である。
【発明を実施するための形態】
【００２８】
以下、本発明の実施の形態を図面に基づいて説明する。図１〜図１３は本発明の薄型レジスタの一実施形態を示しており、この薄型レジスタは、前部に、長手方向に長く短手方向に短い細長の空気吹出口３が設けられ、空気吹出口３の内側に、長手方向に風向を変える前可動ルーバ４が配設される。前可動ルーバ４の上流側の通風路９内に、短手方向に風向を変える後フィン２０を有した後可動ルーバ５が長手方向と平行な支軸２３を介して回動可能に軸支される。
【００２９】
薄型レジスタの主要部を構成するリテーナ１の前部に、空気吹出口３を有するベゼル２が取り付けられる。図１に示すように、ベゼル２の前面に形成される空気吹出口３は、その短手方向（ベゼル２の縦方向）の長さに比して、その長手方向（ベゼル２の横方向）の長さが長く形成され、横方向に細長く形成されている。
【００３０】
リテーナ１は、図５〜図９に示すように、薄型の箱型ダクト状に形成され、内部に高さの低い通風路９が形成され、ベゼル２の空気吹出口３に向かって筒状に形成される。リテーナ１内の通風路９の末端開口部には、空気の導入口６が形成され、導入口６付近の通風路９の両側壁部は、凹面側壁となるように形成され、平坦な上壁と下壁と両側壁部との間が、凹面で断面を円弧状に形成されている。
【００３１】
図５に示す如く、リテーナ１の前部に、軸受嵌合部が形成され、軸受嵌合部の両側には、後可動ルーバ５の軸受部２１が嵌着され、軸受嵌合部の上下部に、前可動ルーバ４の軸受板１６が嵌着される。さらに、その状態のリテーナ１の前部に、ベゼル２が嵌着される。
【００３２】
ベゼル２の前部に、水平横方向に細長い形状の空気吹出口３が、通風路９を通る空気を吹出すように形成され、ベゼル２の後部に、図６、図７に示す如く、ダクト部分が延長部８として設けられる。ベゼル２の延長部８は、リテーナ１内の通風路９を、前可動ルーバ４の下流側に延長し、空気吹出口３に連通接続される。
【００３３】
延長部８内の内側は、リテーナ１内の後部と同様、その両側壁部が図４，５に示す如く、凹面側壁となるように形成され、平坦な上壁と下壁と両側壁部との間が凹面で接続され、断面が角部のない円弧状に形成され、リテーナ１内の通風路９と同様の通風路９を形成している。
【００３４】
ベゼル２の空気吹出口３は、図１、４に示すように、偏平で細長いスリット状に形成され、長手方向（左右方向）に長く短手方向（上下方向）に短い横長の長方形に形成される。また、図７に示すように、ベゼル２の後部には、空気吹出口３から続くダクト状の延長部８が一体成形され、延長部８から空気吹出口３にかけて傾斜面３ａが上部と下部に形成され、傾斜面３ａは、空気吹出口３の長手方向に沿って形成される。これにより、通風路９は傾斜面３ａを介して上下に狭窄されて細長い空気吹出口３に接続される。つまり、空気吹出口３の内側の上部と下部に、傾斜面３ａが通風路９の壁面から空気吹出口３に向けて傾斜して設けられる。
【００３５】
延長部８内の通風路９の空間は、その直ぐ上流側の前可動ルーバ４が右または左に振られた状態、安定した空気流が上下の傾斜面３ａから空気吹出口３に送出されるよう、前後方向に少し長く形成される。これにより、前可動ルーバ４及びその上流側の後可動ルーバ５を振ったときの、送風の指向性を向上させることができる。
【００３６】
さらに、図５〜図７に示すように、ベゼル２後部の延長部８の両側壁部には、凹面側壁部７が形成され、凹面側壁部７に多数のディンプル７ａが形成され、且つ延長部８の上下壁部にも、多数のディンプル８ａが形成されている。
【００３７】
延長部８の直ぐ上流側の通風路９内に、前可動ルーバ４の７個の円筒フィン１０が、長手方向に間隔をおいて並設される。円筒フィン１０は、図１０に示す如く、下流側と上流側に開口する円筒状に形成され、円筒の軸方向と直角に、支軸１４が円筒体の上部と下部に突設され、上部の支軸１４にはクランク部１４ａが固定され、クランク部１４ａの先端に連結軸１４ｂが突設される。７個の円筒フィン１０は、短手方向と平行な支軸１４を介して回動可能に並設される。
【００３８】
前可動ルーバ４の円筒フィン１０は、図５に示すように、各々の上下の支軸１４を、リテーナ１の前部の上部と下部に挿入された軸受板１６に支持され、左右長手方向に回動可能に軸支される。この上下の軸受板１６の内側（通風路側）にも、多数のディンプル１６ａが形成される。これらのディンプル１６ａは、上記延長部８内のディンプル７ａ、８ａと同様な形状に形成され、送風時の通風路９内を流れる空気流のｃｄ値（空気抵抗係数）を小さくし、乱流の発生を抑制する。
【００３９】
前可動ルーバ４の円筒フィン１０は、図７に示す如く、上部の支軸１４とクランク部１４ａがリテーナ１から上に突出し、７個のクランク部１４ａの連結軸１４ｂに、１本のリンクバー１４ｃが連結され、これにより、前可動ルーバ４の７個の円筒フィン１０は、同期して支軸１４を軸に、左右方向に回動可能である。図１２に示す如く、クランク部１４ａには、回動操作用の回動操作機構２８が連結される。回動操作機構２８には、操作ノブ２８ａが設けられ、操作ノブ２８ａをスライド操作して、前可動ルーバ４の円筒フィン１０を、左右に回動させる。
【００４０】
円筒フィン１０の前部には、開口前縁部１２が設けられ、開口前縁部１２は、通風路９の下流側に向けて開口し、凸部１２ａと凹部１２ｂを有している。つまり、開口前縁部１２には、凸部１２ａが短手方向両側に配置され、凹部１２ｂが長手方向両側に配置され、凸部１２ａと凹部１２ｂが立体的に湾曲して続くように形成される。また、円筒フィン１０の開口前縁部１２は、図１７に示す如く、その厚さ方向で縁部が面取りされて、円弧状凸面が形成され、これにより、渦管の発生を抑制している。
【００４１】
同様に、円筒フィン１０の後部にも、通風路９の上流側に向けて開口し、凸部１３ａと凹部１３ｂを有する開口後縁部１３が設けられる。開口後縁部１３は、凸部１３ａが短手方向両側に配置され、凹部１３ｂが長手方向両側に配置され、凸部１３ａと凹部１３ｂが立体的に湾曲して続くように形成される。開口前縁部１２と開口後縁部１３は略同一形状である。また、円筒フィン１０の開口後縁部１３は、図１７に示す如く、その厚さ方向で縁部が面取りされて円弧状凸面が形成され、これにより、渦管の発生を抑制する。
【００４２】
さらに、円筒フィン１０の外周面に、多数のディンプル１１が形成される。これらのディンプル１１は、上記ディンプル７ａ，８ａ，１６ａと同様の形状であって、円形の凹面を有して形成され、その大きさは、例えば、直径が約２〜３ｍｍ、深さが約０．２〜０．３ｍｍである。円筒フィン１０外周面のディンプル１１は、送風時、その下流側で生じる空気流の渦管を小さくし且つその発生を縮小させる機能をもつ。これにより、空気吹出口３からの送風に乱流が生じにくくなり、送風空気の熱拡散を抑制し、送風空気の温度輸送効率を向上させることが可能となる。
【００４３】
さらに、図６，７に示すように、前可動ルーバ４の上流側の通風路９内に、後可動ルーバ５が上下に回動可能に軸支される。後可動ルーバ５は、１枚の後フィン２０と、その両側の支軸２３を支持する軸受部２１とから構成され、両側の軸受部２１は、リテーナ１内の両側壁部に挿入され、嵌着される。後フィン２０の両側に突設した支軸２３の一方に、リンク部２３ａが取り付けられ、このリンク部２３ａには、図１３に示す如く、回動操作機構２９が連結される。回動操作機構２９には、操作ダイヤル２９ａが設けられ、操作ダイヤル２９ａを回動操作しいて、後フィン２０を上側または下側に傾動させる。
【００４４】
後フィン２０は長手方向の長尺の板状に形成され、その上面と下面には、上記ディンプル７ａ，８ａ，１６ａと同様の、多数のディンプル２２が形成される。図５に示すように、両側の軸受部２１の内側は、凹面状に形成され、その内側面に、多数のディンプル２１ｂが形成される。これらのディンプル２１ｂも、上記ディンプル７ａ，８ａ，１６ａ、１１、２２と同様の構成である。
【００４５】
上記ディンプル７ａ，８ａ，１６ａ、１１、２１ｂ、２２は、全て同様な形状に、円形の凹面を有して形成され、その大きさは、例えば、直径が約２〜３ｍｍ、深さが約０．２〜０．３ｍｍとされる。
【００４６】
上記のように、通風路９の壁部、円筒フィン１０の外周面、及び後フィン２０の表面に設けた多数のディンプルは、基本的には、送風時に通風路９内を流れる空気流のｃｄ値（空気抵抗係数）を小さくする機能を有し、且つこのようなディンプル７ａ，８ａ，１６ａ、１１、２１ｂ、２２によって、送風時、各部の下流側に生じる渦管の発生を縮小させ、乱流の発生を抑制し、送風空気の熱拡散を抑制して、送風空気の温度輸送効率を向上させる。
【００４７】
なお、多数のディンプルを設けた面には、窪みと窪み以外の部分とから相対的に凹凸が生じているので、図１４に示すように、上記ディンプルは、平坦面に多数の凸レンズ形状の円形凸部１１Ａを設けることにより、その面に相対的に凹部（多数のディンプル）が生じている形態とすることもできる。したがって、延長部８の壁部、円筒フィン１０の外周面、後フィン２０の表面、及び軸受板１６の内側面に、多数の円形凸部１１Ａを設けることにより、相対的に多数のディンプルをそれらの面に形成することもできる。
【００４８】
上記構成の薄型レジスタを組み立てる場合、図５に示すように、先ず、後可動ルーバ５の後フィン２０の両側に設けた支軸２３を、両側の軸受部２１に回動可能に差し込み、軸支させた状態で、両側の軸受部２１を、リテーナ１内の両側壁部内に嵌入し、後可動ルーバ５を通風路９内に組み付ける。
【００４９】
次に、前可動ルーバ４は、予め、７個の円筒フィン１０の支軸１４を、上下の軸受板１６間に組み付け、アッセンブリとした状態で、リテーナ１内の前部の定位置に、嵌め込む。次に、上部に露出した各支軸１４のクランク部１４ａの連結軸１４ｂに、リンクバー１４ｃを掛け渡すように連結する。そして、空気吹出口３を設けたベゼル２を、リテーナ１の前部に、被せるように嵌着する。
【００５０】
これにより、図１、２に示す如く、薄型レジスタの通風路９内後に、１枚の後フィン２０からなる後可動ルーバ５が配置され、その後可動ルーバ５の直ぐ下流側に、前可動ルーバ４が、後フィン２０と平行の長手方向に円筒フィン１０を並設して配設される。
【００５１】
上記構成の薄型レジスタは、自動車の車室内のインストルメントパネルなどに設けられる空調装置の送風用吹出口に、ベゼル２を嵌め込むようにして取り付けられ、リテーナ１の導入口６に、送風ダクトが接続される。
【００５２】
図６，７に示すように、前可動ルーバ４の円筒フィン１０が正面を向き、後可動ルーバ５の後フィン２０が水平位置にあるニュートラル状態で、送風を行うと、通風路９を通過する空気流は、正面の空気吹出口３からそのまま真直ぐ、乗員に向けて送風される。このとき、薄型レジスタの内部つまり高さの低い通風路９内を空気流は通過し、後可動ルーバ５と前可動ルーバ４の周囲を通過するものの、渦管による乱流は発生しにくく、熱拡散の少ない送風を行うことができる。
【００５３】
一方、送風方向を下側に変える場合、図１５（ａ）に示すように、操作ダイヤル２９ａを回動操作し、後フィン２０を上側に（その前縁部を上側に）回動させる。これにより、通風路９内で、後フィン２０により、空気流は上に曲げられ、上壁に沿って進み、さらに延長部８内の上部を進む。そして、空気流は、空気吹出口３の上部内側の傾斜面３ａに当たり、そこで下側に曲げられ、空気吹出口３から斜め下方に向けて送風される。
【００５４】
また、送風を上側に変える場合、図１５（ｂ）に示すように、操作ダイヤル２９ａを回動操作し、後フィン２０を下側に（その前縁部を下側に）回動させる。これにより、通風路９内で、後フィン２０により、空気流は下に曲げられ、下壁に沿って進み、さらに延長部８内の下部を進む。そして、空気流は、空気吹出口３の下部内側の傾斜面３ａに当たり、そこで上側に曲げられ、空気吹出口３から斜め上方に向けて送風される。
【００５５】
このように、後フィン２０により上側或いは下側に曲げられた空気流は延長部８内を進んだ後、空気吹出口３の上部または下部内側の傾斜面３ａに当たり、上下に曲げられて送風されるので、前可動ルーバ４が左右に回動した状態であっても、空気流の送風速度を低下させずに、良好な指向性で送風することができる。
【００５６】
またこのとき、通風路９内で、空気流は、上壁或いは下壁に沿って集められ送風されるが、後フィン２０の表面、円筒フィン１０の外周面、軸受板１６、軸受部２１の内側面、延長部８の内側面に、各々、ディンプル７ａ，８ａ，１６ａ、１１、２１ｂ、２２が形成されるため、下流側での渦管の発生が抑制され、周囲の空気を巻き込むことが少なく、乱流の少ない空気流が乗員に向けて送風される。このため、冷房時には、より冷たい送風を、暖房時には、より暖かい送風をおこなうことができ、送風空気の熱拡散を抑制し、送風空気の温度輸送効率を向上させることができる。
【００５７】
さらに、上記のように後フィン２０を上または下に振った状態で、或いは後フィン２０をニュートラル状態で、前可動ルーバ４を例えば右側に回動操作すると、図１６に示すように、前可動ルーバ４の円筒フィン１０がその支軸１４を軸に右側に回動し、空気流は、右側に曲げられて送風される。
【００５８】
このとき、円筒フィン１０の開口前縁部１２が、短手方向両側に凸部１２ａを配置し、長手方向両側に凹部１２ｂを配置するように、立体的に湾曲して形成されるので、図１７に示すように、円筒フィン１０の下流側に渦管が発生した場合でも、隣接する円筒フィン１０の左右下流側の渦管が、前後に大きくシフトし且つ干渉せずに生じる。このため、空気吹出口３の長手方向全体では、円筒フィン１０の左右下流側の渦管の発生が抑制され、前可動ルーバ４の円筒フィン１０を長手方向に振ったときの、送風空気の熱拡散を抑制し、送風空気の温度輸送効率を向上させることができる。
【００５９】
またこのときも、後フィン２０の表面、円筒フィン１０の外周面、軸受板１６、軸受部２１の内側面、延長部８の内側面に、各々、ディンプル７ａ，８ａ，１６ａ、１１、２１ｂ、２２が形成されるため、上記と同様、下流側での渦管の発生が抑制され、周囲の空気を巻き込むことが少なく、乱流の少ない空気流が、乗員に向けて送風される。
【００６０】
このため、周囲の常温空気に対する送風空気の熱拡散が抑制され、冷房時には冷たい空気流を、暖房時には暖かい空気流を、送風することができ、温度輸送効率の高い送風を行うことができる。
【００６１】
図１８、図１９は、他の実施形態を示している。この例では、上記後フィン２０の表面、円筒フィン１０の外周面、軸受板１６、軸受部２１の内側面、延長部８の内側面に、各々設けた、ディンプル７ａ，８ａ，１６ａ、１１、２１ｂ、２２に代えて、各部材の表面に、多数の細い波形７Ｂｂ，８Ｂ，１１Ｂ，１６Ｂｂ，２１Ｂｂ，２２Ｂを、略三角形の段状に形成している。上記実施形態と同様な部分については、上記と同じ符号を図に付して、その説明は省略する。
【００６２】
図１８、図１９に示すように、通風路９内の後フィン２０Ｂの表面に、多数の細い波形２２Ｂが設けられ、円筒フィン１０Ｂの外周面にも、多数の細い波形１１Ｂが設けられる。さらに、軸受板１６Ｂの内側面に、多数の細い波形１６Ｂｂが設けられ、軸受部２１Ｂの内側面に、多数の細い波形２１Ｂｂが設けられ、延長部８Ｂの内側面にも、多数の細い波形８Ｂｂが設けられる。
【００６３】
多数の細い波形７Ｂｂ，８Ｂｂ，１１Ｂ，１６Ｂｂ，２１Ｂｂ，２２Ｂは、横断面を略三角の波形形状の段状（山谷状）に形成され、例えば、幅を約２〜３ｍｍ、深さを約０．２〜０．３ｍｍとする、多数の細い波形が部材表面に設けられる。図１８，１９に示すように、それら多数の細い波形７Ｂｂ，８Ｂ，１１Ｂ，１６Ｂｂ，２１Ｂｂ，２２Ｂは、その凸条と凹条を、通風路９内で、通風方向に対し直交する方向、つまり横断面三角形の凹部と凸部の並設方向が通風方向と平行になるように形成される。
【００６４】
このような多数の細い波形７Ｂｂ，８Ｂｂ，１１Ｂ，１６Ｂｂ，２１Ｂｂ，２２Ｂを、後フィン２０Ｂの表面、円筒フィン１０Ｂの外周面、軸受板１６Ｂ、軸受部２１Ｂの内側面、延長部８Ｂの内側面に、各々、形成することによっても、下流側での渦管の発生が抑制され、周囲の空気を巻き込むことが少なく、乱流の少ない空気流を送風することができる。
【００６５】
図２０〜図２２は、さらに他の実施形態を示している。この例では、上記ディンプル７ａ，８ａ，１６ａ、１１、２１ｂ、２２に代えて、各部材の表面に、多数の細い波形７Ｃａ，８Ｃａ，１１Ｃ，１６Ｃａ，２１Ｃａ，２２Ｃを、通風方向と平行に段状に形成している。上記実施形態と同様な部分については、上記と同じ符号を図に付して、その説明は省略する。
【００６６】
図２０〜図２２に示すように、通風路９内の後フィン２０Ｃの表面に、多数の細い波形２２Ｃが設けられ、円筒フィン１０Ｃの外周面にも、多数の細い波形１１Ｃが設けられる。軸受板１６Ｃの内側面に、多数の細い波形１６Ｃａが設けられ、軸受部２１Ｃの内側面に、多数の細い波形２１Ｃａが設けられ、延長部８Ｃの内側面にも、多数の細い波形８Ｃａが設けられる。
【００６７】
多数の細い波形７Ｃａ，８Ｃａ，１１Ｃ，１６Ｃａ，２１Ｃａ，２２Ｃは、横断面を略三角の波形形状の段状（山谷状）に形成され、例えば、幅を約２〜３ｍｍ、深さを約０．２〜０．３ｍｍとする、細い多数の波形を部材表面に設けている。図２０〜図２２に示すように、それら多数の細い波形７Ｃａ，８Ｃａ，１１Ｃ，１６Ｃａ，２１Ｃａ，２２Ｃは、その凸条と凹条を、通風路９内で、通風方向と平行に、つまり三角形の凹部と凸部の並設方向が通風方向と直交するように形成される。
【００６８】
このような多数の細い波形７Ｃａ，８Ｃａ，１１Ｃ，１６Ｃａ，２１Ｃａ，２２Ｃを、後フィン２０Ｃの表面、円筒フィン１０Ｃの外周面、軸受板１６Ｃ、軸受部２１Ｃの内側面、延長部８Ｃの内側面に、各々、形成することによっても、下流側での渦管の発生が抑制され、周囲の空気を巻き込むことが少なく、乱流の少ない空気流を送風することができる。
【符号の説明】
【００６９】
１      リテーナ
２      ベゼル
３      空気吹出口
３ａ    傾斜面
４      前可動ルーバ
５      後可動ルーバ
６      導入口
７      凹面側壁部
７ａ    ディンプル
８      延長部
８ａ    ディンプル
９      通風路
１０    円筒フィン
１１    ディンプル
１２    開口前縁部
１２ａ  凸部
１２ｂ  凹部
１３    開口後縁部
１３ａ  凸部
１３ｂ  凹部
１４    支軸
１４ａ  クランク部
１４ｂ  連結軸
１４ｃ  リンクバー
１６    軸受板
１６ａ  ディンプル
２０    後フィン
２１    軸受部
２１ｂ  ディンプル
２２    ディンプル
２３    支軸
２３ａ  リンク部
２８    回動操作機構
２８ａ  操作ノブ
２９    回動操作機構
２９ａ  操作ダイヤル
【図１】
2020032859.tif 000003
【図２】
2020032859.tif 000004
【図３】
2020032859.tif 000005
【図４】
2020032859.tif 000006
【図５】
2020032859.tif 000007
【図６】
2020032859.tif 000008
【図７】
2020032859.tif 000009
【図８】
2020032859.tif 000010
【図９】
2020032859.tif 000011
【図１０】
2020032859.tif 000012
【図１１】
2020032859.tif 000013
【図１２】
2020032859.tif 000014
【図１３】
2020032859.tif 000015
【図１４】
2020032859.tif 000016
【図１５】
2020032859.tif 000017
【図１６】
2020032859.tif 000018
【図１７】
2020032859.tif 000019
【図１８】
2020032859.tif 000020
【図１９】
2020032859.tif 000021
【図２０】
2020032859.tif 000022
【図２１】
2020032859.tif 000023
【図２２】
2020032859.tif 000024
【図２３】
2020032859.tif 000025